(57)【要約】【課題】各チャネルごとに音声信号と制御信号とのタイミングを合わせることが容易な信号伝送装置を提供する。【解決手段】各チャネルごとに音声信号及びＰＴＴ信号を入力部１２で一旦周波数多重したのち回線切替系１１を介して宛先となる出力部１３に伝送し、出力部１３で周波数多重信号を音声信号とＰＴＴ信号に分離して出力するようにしている。【選択図】      図１
2008034968.tif 000002
【特許請求の範囲】
【請求項１】
送信側で音声入力スイッチがオンされることで音声信号及び当該オンの旨を示す制御信号をチャネルへ送出し、受信側で前記チャネルからの音声信号及び制御信号を受信する信号伝送装置において、
前記送信側から送られる複数チャネルの音声信号及び制御信号を入力するための入力部と、
この入力部で入力される複数チャネルの音声信号及び制御信号を任意のチャネルに選択的に導出する切替部と、
この切替部で導出された各チャネルの音声信号及び制御信号を前記受信側へ出力する出力部とを具備し、
前記入力部は、前記チャネルごとの音声信号及び制御信号を周波数多重する周波数多重手段を備え、
前記出力部は、前記切替部で導出された各チャネルごとの周波数多重信号を前記音声信号及び前記制御信号に分離する周波数分離手段を備えたことを特徴とする信号伝送装置。
【請求項２】
前記切替部は、前記入力部で入力される複数チャネルの周波数多重信号をアナログ信号からデジタル信号に変換して任意のチャネルに選択的に導出し、各チャネルごとにアナログ信号に変換して前記出力部に出力することを特徴とする請求項１記載の信号伝送装置。
【発明の詳細な説明】
【技術分野】
【０００１】
この発明は、例えば航空管制システム等で使用される信号伝送装置に関する。
【背景技術】
【０００２】
現在、航空管制システム内の信号伝送装置は、複数チャネルの音声信号及び音声入力スイッチのオン／オフを示す制御信号（ＰＴＴ信号）を入力するための入力インタフェース部と、入力された音声信号のチャネル出力先を切り替える回線切替系と、この回線切替系に同期して入力されたＰＴＴ信号のチャネル出力先を切り替えるＰＴＴ信号切替系と、回線切替系及びＰＴＴ信号切替系により切り替えられた音声信号及びＰＴＴ信号をチャネル毎に同期させて出力する出力インタフェース部とを備えている（例えば、非特許文献１）。各チャネルには、管制卓といった航空管制機器や、無線通信機器、有線電話機等が接続される。
【０００３】
すなわち、上記信号伝送装置では、管制卓上の音声入力スイッチの押下に応じて、無線通信回線の制御、有線電話回線の呼制御及び管制卓間の通信制御を行うことができる。
【非特許文献１】レーダ技術  財団法人電子情報通信学会。
【発明の開示】
【発明が解決しようとする課題】
【０００４】
ところで、上記信号伝送装置では、音声信号とＰＴＴ信号とを回線切替系及びＰＴＴ信号切替系に別々に伝送し処理しているので、回線切替系とＰＴＴ信号切替系とのタイミングずれが生じると、音声信号の頭切れなどが生じることになる。
【０００５】
そこで、この発明の目的は、各チャネルごとに音声信号と制御信号とのタイミングを合わせることが容易な信号伝送装置を提供することにある。
【課題を解決するための手段】
【０００６】
上記目的を達成するために、この発明は、送信側で音声入力スイッチがオンされることで音声信号及び当該オンの旨を示す制御信号をチャネルへ送出し、受信側でチャネルからの音声信号及び制御信号を受信する信号伝送装置において、送信側から送られる複数チャネルの音声信号及び制御信号を入力するための入力部と、この入力部で入力される複数チャネルの音声信号及び制御信号を任意のチャネルに選択的に導出する切替部と、この切替部で導出された各チャネルの音声信号及び制御信号を受信側へ出力する出力部とを具備し、入力部は、チャネルごとの音声信号及び制御信号を周波数多重する周波数多重手段を備え、出力部は、切替部で導出された各チャネルごとの周波数多重信号を音声信号及び制御信号に分離する周波数分離手段を備えるようにしたものである。
【０００７】
この構成によれば、各チャネルごとに音声信号及び制御信号を入力部で一旦周波数多重したのち切替部を介して宛先となる出力部に伝送し、出力部で周波数多重信号を音声信号と制御信号に分離して出力するようにしている。
【０００８】
従って、音声信号専用の切替部及び制御信号専用の切替部を別々に用意する必要がなく、１台の切替部を音声信号及び制御信号で共用でき、これにより各チャネルごとに音声信号と制御信号とのタイミングを合わせることが可能となる。また、各チャネルごとに音声信号及び制御信号が周波数多重されて１つのチャネルにより伝送されるので、音声信号専用のチャネル及び制御信号専用のチャネルを不要にすることができ、その分入力部と切替部との間を接続するチャネル数及び切替部と出力部との間を接続するチャネル数を減らしてシステムの配線構造を簡素化することができると共に、回路規模を縮小することができる。
【発明の効果】
【０００９】
以上詳述したようにこの発明によれば、各チャネルごとに音声信号と制御信号とのタイミングを合わせることが容易な信号伝送装置を提供することができる。
【発明を実施するための最良の形態】
【００１０】
以下、この発明の実施形態について図面を参照して詳細に説明する。  
図１は、この発明の一実施形態に係わる信号伝送装置の構成を示すブロック図である。図１において、符号１１は回線切替系で、複数の入出力チャネルを切り替えるものである。なお、ここでは説明を簡単にするため、１チャネルのみを示している。
【００１１】
この実施形態では、回線切替系１１の入力チャネルに入力部１２を接続し、出力チャネルに出力部１３を接続している。これらは一つの筐体に組み込んでもよいが、回線切替系１１をネットワーク管理室に設置し、入力部１２、出力部１３を各部屋に配置するようにしてもよい。ここでは、入力部１２に管制卓１４が接続され、出力部１３に無線機１５が接続される。
【００１２】
管制卓１４のユーザが、音声入力スイッチ１４１を押しながら話すと、管制卓１４から音声信号とスイッチオンを示すＰＴＴ信号が発生する。
【００１３】
管制卓１４から送られた音声信号は、入力部１２の混合器１２１に送られる。また、管制卓１４から送られたＰＴＴ信号は、入力部１２のスイッチ１２２に送られる。スイッチ１２２は、ＰＴＴ信号が入力されると、ｆ１信号発生器１２３から発生されるｆ１信号を混合器１２１に出力する。このｆ１信号は、音声周波数帯（３００Ｈｚ〜３ｋＨｚ）とは異なる周波数帯の信号（例えば３００Ｈｚ未満または３ｋＨｚを超える周波数）となる。
【００１４】
混合器１２１は、図２に示すように、音声信号及びｆ１信号を周波数多重し、この周波数多重信号を回線切替系１１に出力する。回線切替系１１は、入力部１２から送られた周波数多重信号をアナログ信号からデジタル信号に変換し、制御部（図示せず）からの指示によって選択された出力先のチャネルへ出力する。出力チャネルへ出力される周波数多重信号は、デジタル信号からアナログ信号に変換されて出力部１３に送られる。
【００１５】
出力部１３に入力された周波数多重信号は、周波数分離器１３１によって音声信号及びｆ１信号に分離され、音声信号は無線機１５に送られ、ｆ１信号はスイッチドライブ１３２に送られる。スイッチドライブ１３２は、ｆ１信号が入力されると、スイッチ１３３をオンさせ、このオン信号をＰＴＴ信号として無線機１５に出力する。
【００１６】
かくして、無線機１５のユーザは、管制卓１４のユーザからの音声を聞くことができる。
【００１７】
次に、上記構成において、その運用動作を説明する。  
以前は、図３に示す信号伝送装置が適用されていた。まず、回線切替系２１及びＰＴＴ信号切替系２２は、適当なネットワーク管理室に配置され、そこから各部屋へチャネルが敷設され、その端末にそれぞれの部屋で必要な管制卓１４、無線機１５に対応するインタフェース２３，２４が取り付けられる。
【００１８】
管制卓１４では、ユーザが音声入力スイッチ１４１を押しながら話すと、その音声信号とＰＴＴ信号を発生する。インタフェース２３では、音声信号及びＰＴＴ信号を取り込み、音声信号を回線切替系２１へのチャネルに送り、ＰＴＴ信号をＰＴＴ信号切替系２２へのチャネルに送る。
【００１９】
回線切替系２１及びＰＴＴ信号切替系２２では、音声信号及びＰＴＴ信号を同期させながら処理してインタフェース２４に送る。インタフェース２４では、音声信号及びＰＴＴ信号のタイミング合わせを行って、これら音声信号及びＰＴＴ信号を無線機１５に送出する。
【００２０】
ここで、以前では、回線切替系２１とＰＴＴ信号切替系２２との間で同期ずれが発生すると、無線機１５に送る音声信号の頭切れなどが発生していた。そこで、本発明により、音声信号及びＰＴＴ信号を入力部１２で周波数多重して回線切替系１１に送り、出力部１３で音声信号とｆ１信号とに周波数分離することにより、タイミングずれを生じることがなくなる。
【００２１】
以上のように上記実施形態では、各チャネルごとに音声信号及びＰＴＴ信号を入力部１２で一旦周波数多重したのち回線切替系１１を介して宛先となる出力部１３に伝送し、出力部１３で周波数多重信号を音声信号とＰＴＴ信号に分離して出力するようにしている。
【００２２】
従って、以前のような回線切替系２１及びＰＴＴ信号切替系２２を別々に用意する必要がなく、１台の回線切替系１１を音声信号及びＰＴＴ信号で共用でき、これにより各チャネルごとに音声信号とＰＴＴ信号とのタイミングを合わせて出力チャネルに送出することができる。
【００２３】
また、各チャネルごとに音声信号及びＰＴＴ信号が周波数多重されて１つのチャネルにより伝送されるので、音声信号専用のチャネル及びＰＴＴ信号専用のチャネルを不要にすることができ、その分入力部１２と回線切替系１１との間を接続するチャネル数及び回線切替系１１と出力部１３との間を接続するチャネル数を減らしてシステムの配線構造を簡素化することができると共に、回路規模を縮小することができる。
【００２４】
なお、本発明を実施形態に基づき説明したが、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００２５】
【図１】この発明の一実施形態に係わる信号伝送装置の構成を示すブロック図。
【図２】図１に示した混合器で周波数多重される周波数多重信号の周波数特性を示す図。
【図３】以前使用されていた信号伝送装置の構成を示すブロック図。
【符号の説明】
【００２６】
１１、２１…回線切替系、１２…入力部、１３…出力部、１４…管制卓、１５…無線機、２２…ＰＴＴ信号切替系、２３、２４…インタフェース、１２１…混合器、１２２…スイッチ、１２３…ｆ１信号発生器、１３１…周波数分離器、１３２…スイッチドライブ、１３３…スイッチ、１４１…音声入力スイッチ。
【図１】
2008034968.tif 000003
【図２】
2008034968.tif 000004
【図３】
2008034968.tif 000005